(57)【要約】【課題】密閉された回転筒の回転中心に回転継手を設け、回転継手に複数の流路及び投入口を設けた構造を提供する。【解決手段】回転筒（１）と破砕装置箱（４）の間に回転継手（８）を取付け、回転継手（８）の回転中心に外円筒継手（９）と内円筒継手（１０）を二重に構成し、外円筒継手（９）を回転筒（１）の前部に固定し連動させ、内円筒継手（１０）を破砕装置箱（４）の後部に固定させ支持させ、  破砕装置箱（４）の中にスクリュー（１２）を軸受（１３）によって支持し回転させ、内円筒継手（１０）の内部の回転中心にスクリュー（１２）を挿入し、  外円筒継手（９）および内円筒継手（１０）の間におのおの密封材（１４）を設け、外円筒継手（９）および内円筒継手（１０）の中におのおの複数の空気流路（１５）および温水（または水蒸気）流路（１６）を設けて構成したことを特徴とする。【選択図】図３
2007136439.tif 000002
【特許請求の範囲】
【請求項１】
密閉された回転筒（１）を架台（２）の上に軸受（３）を設けて横置きにして回転させ、
回転筒（１）の前部に破砕装置箱（４）を設け、架台（２）の上に破砕装置箱（４）をストッパー（５）で係止し遊動させ、破砕装置箱（４）の前方に投入口（６）、回転筒（１）の後部に排出口（７）を設け、
回転筒（１）と破砕装置箱（４）の間に回転継手（８）を取付け、回転筒（１）の回転中心に回転継手（８）を設け、回転継手（８）の回転中心に外円筒継手（９）と内円筒継手（１０）を二重に構成し、外円筒継手（９）と内円筒継手（１０）の間に軸受（１１）を設けて回転させ、
外円筒継手（９）を回転筒（１）の前部に固定し連動させ、内円筒継手（１０）を破砕装置箱（４）の後部に固定させ支持させ、
破砕装置箱（４）の中にスクリュー（１２）を軸受（１３）によって支持し回転させ、内円筒継手（１０）の内部の回転中心にスクリュー（１２）を挿入し、
外円筒継手（９）および内円筒継手（１０）の間におのおの密封材（１４）を設け、外円筒継手（９）および内円筒継手（１０）の中におのおの複数の空気流路（１５）および温水（または水蒸気）流路（１６）を設けて構成したことを特徴とする生ゴミ貯留装置。
【発明の詳細な説明】
【技術分野】
【０００１】  生ゴミ貯留装置の回転筒に破砕装置および回転継手を合体する構造に関するものである。
【背景技術】
【０００２】  とくに都会の生ゴミは、残飯が多くプラスチックの弁当箱やトレーなどが多く、残飯を破砕して投入しなければならず、投入口の大きさ、投入の方法、投入の量も問題になっている。生ゴミ貯留装置は、生ゴミを密閉装置に投入し、加熱減圧して処理し、移動させて排出する方法が使われている。
装置を固定にすると排出する機械が必要になり、生ゴミ量が小さくなり、生ゴミの残量が多くなる。装置に回転筒を設けると、排出する機械が不要になり、生ゴミ量が大きくでき、生ゴミの残量が少なくなるが、回転継手がどうしても必要になってくる。
生ゴミ貯留装置の構造の例として、回転筒を設け、生ゴミ真空乾燥装置や生ゴミ微生物消滅装置等によって、回転筒に温水または水蒸気および減圧された空気（真空）または大気圧を加えることができる。
生ゴミ真空乾燥装置は回転筒に温水（または水蒸気）および減圧された空気（真空）を加え、生ゴミを蒸発させて乾燥させ減容させる。
生ゴミ微生物消滅装置は回転筒に温水（または水蒸気）および大気圧を調整して加え、生ゴミを微生物によって発酵させ減容させる。
以上のような生ゴミ貯留装置について、回転筒および回転継手を条件として、生ゴミ量や投入方法が課題になっている。
【発明の開示】
【発明が解決しようとする課題】
【０００３】  生ゴミ貯留装置の回転筒および回転継手を条件として、次のような課題がある。
（ａ）回転筒の前部に投入口、後部に排出口を設ける条件となる。
（ｂ）投入口および排出口を大きくしなければ、残飯を破砕して投入することが難しい。
（ｃ）生ゴミを多量に投入するには、回転筒の前面に大きな投入口を開かねばならない。
（ｄ）回転筒を回転しながら投入しなければ、連続して投入することが難しい。
（ｅ）回転筒の回転中心に、しかも回転筒の前面に回転継手が必要になる。
（ｄ）回転継手に温水（または水蒸気）、空気（または真空）の複数の流路が必要になり      、回転継手は大型になる。
しかし、最も重要な課題は、投入口を回転筒の前面に取付けることである。
回転筒を回転しながら投入口へ生ゴミを投入しなければ、回転筒内部の螺旋状羽根によって、多量のゴミを回転筒の中へ移動させることができない。
したがって、回転筒の中心に回転継手を設け、回転継手の中心に投入口を設けなければならない。
回転継手の投入口に直接ゴミを投入するには、大きな投入口が必要になる。
投入口の大きさは、最大の市販軸受では、内径２５０ミリメートル程度が限界になる。また、回転継手に複数の流路を設けると、回転継手の長さが必要になり、投入口を長くしなければならない。
すなわち、本発明は、密閉された回転筒の回転中心に回転継手を設け、回転継手に複数の流路及び投入口を設けることができる構造を、解決するためになされたものである。
【課題を解決するための手段】
【０００４】  課題を解決するための手段は、回転継手の投入穴にスクリューを設けることである。
従来の回転型ゴミ貯留装置およびスクリュー式破砕機などは、おのおのの構造として公知であるが、つぎのような点が進歩性および新規性を有する特定発明になりうる。
（イ）架台に対して、回転筒を軸受によって支持し回転させる。
（ロ）回転筒に固定した外円筒継手に対して、内円筒継手を軸受によって支持し固定する      。
（ハ）内円筒継手に固定した破砕機箱に対して、スクリューを軸受によって支持し回転さ      せる。
（ニ）したがって架台に対して３段階の軸受によってスクリューを支持し、さらに架台に      対して破砕装置箱を係止され遊動する構造にする。【０００５】  すなわち、解決するための手段は、つぎのような項目となる。
（１）密閉された回転筒を架台の上に軸受を設け横置きにして回転させる。
（２）回転筒の前部に破砕装置箱を設け、架台の上に破砕装置箱をストッパーで係止し遊      動させる。破砕装置箱の前方に投入口、回転筒の後部に排出口を設ける。
（３）回転筒と破砕装置箱の間に回転継手を取付け、回転筒の回転中心に回転継手を設け      る。回転継手の回転中心に外円筒継手と内円筒継手を二重に構成し、外円筒継手と      内円筒継手の間に軸受を設けて回転させる。
外円筒継手を回転筒の前部に固定し連動させ、内円筒継手を破砕装置箱の後部に      固定させ支持させる。
（４）破砕装置箱の中にスクリューを軸受によって支持し回転させる。内円筒継手の内部      の回転中心にスクリューを挿入する。
（５）外円筒継手および内円筒継手の間におのおの密封材を設け、外円筒継手および内円      筒継手の中におのおの複数の空気流路および温水（または水蒸気）流路を設ける。
【発明の効果】
【０００６】  回転継手の中心にスクリューの後部を設け、スクリューの前部に破砕装置箱の投入口を設けることによって、課題（ａ）〜（ｄ）を全て解決することができる。
すなわち、発明の効果はつぎの２点で集約することができる。
（１）スクリューの回転と回転筒の回転を同時に連続投入できるので、生ゴミの投入が詰      まらない。したがって、生ゴミを多量に投入することができる。
（２）回転筒の前面の大きな投入口を設けることができるので、簡単に投入でき、大型の      ゴミを破砕し、押し込むことができる。
本発明の構造はコンパクトで、簡単で便益が大きく、コストも小さくできるので、生ゴミ処理問題の解決に対して大きく寄与することができる。
【発明を実施するための最良の形態】
【０００７】  生ゴミ加熱貯留装置は、外円筒継手（９）および内円筒継手（１０）の間におのおの密封材（１４）を設け、外円筒継手（９）および内円筒継手（１０）の中におのおの複数の空気流路（１５）および温水（または水蒸気）流路（１６）をを設けて移動することができる。とくに生ゴミ加熱貯留装置の実施例として、生ゴミ真空乾燥装置を説明する。
生ゴミ真空乾燥装置は回転筒（１）に温水および減圧された空気（真空）を加え、生ゴミを蒸発させて乾燥させ減容させる装置である。外円筒継手（９）および内円筒継手（１０）の間におのおの密封材（１４）を設け、外円筒継手（９）および内円筒継手（１０）の中に複数の真空流路（２１）および温水流路（２２）を設けることができる。
以下、本発明の実施形態について、実施例として生ゴミ真空乾燥装置の構造を説明する。
図１は、生ゴミ真空乾燥装置の右側面図を示す。図２は、前面図を示す。
まず一般的な回転筒型のゴミ貯留装置の公知部分について説明する。
密閉された回転筒（１）の回転軸方向に直角に２個ずつ並置した前軸受（２３）及び後軸受（２４）を架台（２）の上に固定し、回転筒（１）を前軸受（２３）及び後軸受（２４）の上に支持し横置きにして回転させる。
回転筒（１）の前方に前固定枠（２５）、後方に後固定枠（２６）を架台（２）の上に固定し、回転筒（１）の後部に排出口（７）を設け、後固定枠（２６）に排出口蓋（２７）を可動的に回転させ、排出口（７）に排出口蓋（２７）を密封させる。
回転筒（１）の外周に大スプロケット（２８）を設け、回転筒用モーター（２９）に取付けた小スプロケット（３０）とチェーン（３１）を連結させる。回転筒（１）の内面に螺旋状羽根（３２）を設ける。
以上は一般的な回転筒型のゴミ貯留装置の公知部分である。【０００８】  本発明の装置の特定部分をつぎように説明する。
図３は、生ゴミ真空乾燥装置の右側面図の前部分詳細図を示す。
回転筒（１）の前方に破砕装置箱（４）を設け、破砕装置箱（４）の前部に装置箱本体（３３）、投入口（６）、および空気逃がし弁（７６）、中央部の回転中心にスクリュー取付穴ボス（３４）、後部に継手用フランジ（３５）を設ける。
投入口（６）の上部に蝶番（３６）によって投入口蓋（３７）、把手（３８）および密封材（３９）を取付け密閉する。
スクリュー取付穴ボス（３４）に止め板（４０）によってスクリュー（１２）を挿入して取付ける。スクリュー（１２）にオス螺旋（４１）および螺旋軸（４２）を片持ちの形に構成し、スクリュー後端部（４３）を自由端にする。
継手用フランジ（３５）の中心に取付け穴（４４）を設けてスクリュー後端部（４３）を貫通させて挿入する。
スクリュー（１２）とスクリュー取付穴ボス（３４）の間に軸受（１３）および密封材（１４）を設ける。スクリュー（１２）の前部にスクリュー用スプロケット（４７）を設ける。継手用フランジ（３５）にモーター用ステー（４８）を設け、スクリュー用モーター（４９）およびモーター用スプロケット（５０）を取付け、チェーン（５１）によってスクリュー用スプロケット（４７）へ連結する。
継手用フランジ（３５）にストッパー（５）を設け、ストッパー受け金具（５２）を架台（２）に固定し、架台（２）に対して破砕装置箱（４）をストッパー（５）で係止し遊動させる。【０００９】  回転筒（１）と破砕装置箱（４）の間に回転継手（８）を取付け、回転筒（１）の回転中心に回転継手（８）を設ける。
回転継手（８）の回転中心に外円筒継手（９）と内円筒継手（１０）を二重に構成し、外円筒継手（９）と内円筒継手（１０）の間に軸受（１１）を設けて回転させる。
外円筒継手（９）を回転筒（１）の前部に固定し連動させ、内円筒継手（１０）を破砕装置箱（４）の後部の継手用フランジ（３５）に固定させ支持させる。
破砕装置箱（４）の中にスクリュー（１２）を設けて駆動することができ、内円筒継手（１０）の内部の回転中心にスクリュー（１２）を挿入する。【００１０】  内円筒継手（１０）の管材（５３）の中に、空気流路Ａ１（５４），空気流路Ｂ１（５５）、温水流路Ｃ１（５６），温水流路Ｄ１（５７）の４つ流路を設ける。外円筒継手（９）の管材（５８）の中に、温水流路Ｃ２（６１），温水流路Ｄ２（６２）の２つ流路を設ける。
また軸受（１１）に止め板（８９）を取付け，通過穴（９０）を設け、空気流路Ａ２（５９），空気流路Ｂ２（６０）の２つの流路を設け、回転筒（１）内に連通させる。
外円筒継手（９）および内円筒継手（１０）の間に、密封材１（６３）、密封材２（６４）、密封材３（６５）を設ける。密封材１（６３）と密封材２（６４）の間に温水流路Ｃ１（５６）と温水流路Ｃ２（６１）を連通させ、密封材２（６４）と密封材３（６５）の間に温水流路Ｄ１（５７）と温水流路Ｄ２（６２）を連通させる。
ヒーター（８８）によって温水タンク（６６）に温水を加熱し、温水ポンプ用モーター（８１）によって温水ポンプ（６７）を駆動して温水を移動させる。
温水は往路管（６８）を経て、温水流路Ｃ１（５６）と温水流路Ｃ２（６１）を連通させ、回転筒（１）に設けた温水管（６９）に循環させ、回転筒（１）内を加熱させる。
循環された温水管（６９）は、復路管（７０）を経て、温水流路Ｄ１（５７）と温水流路Ｄ２（６２）を連通させ、温水タンク（６６）へ戻る。
真空ポンプ用モーター（８２）によって真空ポンプ（７２）を駆動させて吸気させ、空気流路Ａ１（５４）と空気流路Ａ２（５９）を連通させ、吸気管（７１）を経て、回転筒（１）内の水分を含む空気を減圧させ、加熱され水蒸気になって蒸発させる。
真空ポンプ（７２）から排気される空気は冷却装置（７３）を経で凝縮され排水され、脱臭器（７４）によって排気される。
回転筒（１）内の減圧された空気は、空気流路Ｂ１（５５）と空気流路Ｂ２（６０）を連通させ、逃がし管（７５）を経て、空気逃がし弁（７６）によって大気圧より吸気される。回転筒（１）内の減圧された空気は、大気圧に対して密封材３（６５）によって密閉される。
前固定枠（２５）および後固定枠（２６）の上に上部固定枠（７７）を仮設し、上部固定枠（７７）の上に、温水ポンプシステム（７８）として、温水ポンプ用モーター（８１）、温水タンク（６６）、温水ポンプ（６７）、往路管（６８）および復路管（７０）を設け、真空ポンプシステム（７９）として、真空ポンプ用モーター（８２）、真空ポンプ（７２）、吸気管（７１）、冷却装置（７３）および脱臭器（７４）を設けている。
また、回転筒（１）、破砕装置箱（４）、回転継手（８）、温水ポンプシステム（７８）について、全面を断熱材（８０）によって覆っている。【００１１】  以上のような生ゴミ真空乾燥装置の構成を使用するときは次ぎのようにする。
まず準備としてヒーター（８８）によって温水タンク（６６）に温水を加熱し、温水ポンプ（６７）によって往路管（６８）、回転継手（８）を経て温水管（６９）に循環させ、回転筒（１）内を加熱させ、温水温度を制御する。
回転筒用モーター（２９）を開始すると、小スプロケット（３０）、チェーン（３１）、大スプロケット（２８）を経て、回転筒（１）を駆動し、回転筒（１）に固定された外円筒継手（９）は連動されて回転する。
これに対して、架台（２）に対して破砕装置箱（４）をストッパー（５）で係止し遊動するので、内円筒継手（１０）は固定される。
つぎにスクリュー用モーター（４９）を開始すると、モーター用スプロケット（５０）、チェーン（５１）、スクリュー用スプロケット（４７）を経て、固定された内円筒継手（１０）の内部で、スクリュー（１２）は回転する。
投入口蓋（３７）を開いて破砕装置箱（４）の中に生ゴミが投入されると、継手用フランジ（３５）の取付け穴（４４）にスクリュー（１２）を嵌合して掻き込むので、生ゴミは破砕される。  内円筒継手（１０）の内部でスクリュー（１２）のオス螺旋（４１）によって、生ゴミは混合され移動され、回転筒（１）の中へ排出される。
回転筒（１）の中へ生ゴミが排出され蓄積されるので、回転筒（１）を同時に回転すると生ゴミは移動され回転筒（１）の後部へ貯留される。
回転筒（１）の容量に対して生ゴミの容量が限界に達すると、スクリュー（１２）を停止し、投入口蓋（３７）を閉じ、真空ポンプ（７２）を開始し、回転筒（１）内の空気を吸気する。
回転継手（８）および吸気管（７１）を経て、回転筒（１）内の水分を含む空気を減圧させ加熱させて、水蒸気になり蒸発する。
真空ポンプ（７２）から排気される水蒸気は冷却装置（７３）を経て凝縮され排水され、脱臭器（７４）によって排気される。
通常の水分８５％の生ゴミは加熱、減圧によって蒸発され、時間によって制御され、水分１５％程度の乾燥ゴミになる。
乾燥ゴミになると、真空ポンプ（７２）を停止し、空気逃がし弁（７６）を開く。
回転筒（１）内の減圧された空気は、回転継手（８）を連通させ、逃がし管（７５）を経て、空気逃がし弁（７６）によって大気圧より吸気される。
回転筒（１）内の減圧された空気は始めて大気圧になり、排出口蓋（２７）および投入口蓋（３７）を開くことができる。
乾燥ゴミを排出するときは、排出口蓋（２７）を開き、回転筒（１）を駆動する。
回転筒（１）内の螺旋状羽根（３２）の回転によって、乾燥ゴミを排出口（７）より掻き出すことができる。
【実施例１】
【００１２】  生ゴミ加熱貯留装置の実施例として、生ゴミ微生物消滅装置を説明する。
生ゴミ微生物消滅装置は回転筒に温水（または水蒸気）および大気圧を調整して加え、生ゴミを微生物によって発酵させ減容することができる。
生ゴミ微生物消滅装置は、生ゴミ真空乾燥装置に対して真空ポンプを換え、送風機によって大気圧を調整する構造にするだけで、他は同じ機械構造になる。ただし、生ゴミの他に、微生物を含んだ米糠やおが屑などを構成した培養床材を回転筒の中に貯留しなければならない。
微生物を使って生ゴミを処理して消滅させる方法には、まず培養床材が必要であり、さらに微生物の繁殖に適した一定の温度、一定の酸素量、一定の水分および湿度が必要である。
一定の温度に対しては、同じ構成の温水ポンプシステムによって、温水を制御し、補給することができる。
一定の酸素量に対しては、送風機を駆動させて、一定の酸素量を吸気させ、空気流路Ｂ１と空気流路Ｂ２を連通させ、逃がし管を経て、大気の清浄空気を回転筒内へ吸気する。
さらに、空気流路Ａ１と空気流路Ａ２を連通させ、吸気管を経て、回転筒内の汚染空気を換気する。微生物によって炭酸ガス、アンモニアガスなどを発生さるので、脱臭器を経て送風機によって汚染空気を排気する。
一定の水分および湿度に対しては、吸気管に湿度計を設けて湿度を検知することができ、逃がし管に給水器を設けて水分を制御することができる。
【図面の簡単な説明】
【００１３】
【図１】本発明の実施例として生ゴミ真空乾燥装置の右側面図を示す。
【図２】生ゴミ真空乾燥装置の前面図を示す。
【図３】生ゴミ真空乾燥装置の右側面図の前部分詳細図を示す。
【符号の説明】
【００１４】      １    回転筒                          ２    架台
３    軸受                            ４    破砕装置箱
５    ストッパー                      ６    投入口
７    排出口                          ８    回転継手
９    外円筒継手                    １０    内円筒継手
１１    軸受                          １２    スクリュー
１３    軸受                          １４    密封材
１５    空気流路                      １６    温水（または水蒸気）流路
【図１】
2007136439.tif 000003
【図２】
2007136439.tif 000004
【図３】
2007136439.tif 000005